(57)【要約】【課題】相手先の照合を効率よく行え、かつ操作性のよい通信端末装置を提供する。【解決手段】複数の相手先と同報通信を行うことができる通信端末装置１０であって、ユーザが指定した宛先情報を受け付ける入力受付部１０２と、入力受付部１０２が受け付けた宛先情報を検索キーとして所定の宛先情報記憶装置（図１のディレクトリサーバ４２）を検索する検索部１１８と、検索部１１８にて検索キーと一致した宛先情報を相手先として確定する確定部１２４と、確定された相手先を複数記憶可能な宛先情報記憶部１１２と、を備え、検索部１１８は、確定部１２４によって既に確定された相手先は検索しない。【選択図】図２
2007166152.tif 000002
【特許請求の範囲】
【請求項１】
複数の相手先と同報通信を行うことができる通信端末装置であって、
ユーザが指定した宛先情報を受け付ける受付部と、
前記受付部が受け付けた前記宛先情報を検索キーとして所定の宛先情報記憶装置を検索する検索部と、
前記検索部にて前記検索キーと一致した宛先情報を相手先として確定する確定部と、
前記確定部で確定された前記相手先を複数記憶可能な相手先記憶部と、を備え、
前記検索部は、前記確定部によって既に確定された前記相手先は検索しないことを特徴とする通信端末装置。
【請求項２】
請求項１に記載の通信端末装置において、
前記相手先記憶部に記憶された前記相手先の前記宛先情報の編集操作が可能な編集モードにおいて、前記ユーザによる任意の前記宛先情報の編集操作を受け付け、編集する編集部をさらに備え、
前記検索部は、既に確定済みの前記宛先情報が前記編集部によって編集されたとき、前記編集部によって編集された前記宛先情報のみを検索対象することを特徴とする通信端末装置。
【請求項３】
請求項１または２に記載の通信端末装置において、
前記受付部が受け付けた前記宛先情報毎に確定フラグを準備し、記憶する確定フラグ記憶部と、
前記受付部が前記宛先情報を受け付けてから確定する前までは、前記宛先情報の確定フラグをリセットしておき、前記確定部が前記宛先情報を前記相手先として確定した後、前記宛先情報の確定フラグをセットする制御部と、を含み、
前記検索部は、前記宛先情報の前記確定フラグがセットされている前記宛先情報の検索は行わないことを特徴とする通信端末装置。
【請求項４】
請求項３に記載の通信端末装置において、
前記制御部は、前記編集部が前記宛先情報を編集したとき、当該宛先情報の前記確定フラグをリセットし、前記検索部による検索を行うように制御することを特徴とする通信端末装置。
【請求項５】
請求項３または４に記載の通信端末装置において、
前記受付部は、前記宛先情報を文字列で受け付け、
前記相手先記憶部に前記宛先情報を示す前記文字列を前記相手先として記憶し、
前記編集部は、前記編集モードに入ったとき、前記相手先記憶部に記憶された前記相手先のうちの一宛先情報を示す前記文字列を全て消去することを特徴とする通信端末装置。
【請求項６】
請求項３または４に記載の通信端末装置において、
前記受付部は、前記宛先情報を文字列で受け付け、
前記相手先記憶部に前記宛先情報の前記文字列を記憶し、
前記編集部は、前記編集モードにおいて、前記相手先記憶部に記憶された前記相手先の前記宛先情報を示す前記文字列の編集桁を指定するカーソルを表示し、編集可能とすることを特徴とする通信端末装置。
【請求項７】
請求項１乃至６いずれかに記載の通信端末装置において、
前記検索部にて前記検索キーと一致した宛先情報がなかった場合にその旨を通知する通知部をさらに備えることを特徴とする通信端末装置。
【請求項８】
請求項３乃至６いずれかに記載の通信端末装置において、
前記検索部にて前記検索キーと一致した宛先情報がなかった場合に前記編集部が当該宛先情報の前記編集モードに移行することを特徴とする通信端末装置。
【請求項９】
請求項１乃至８いずれかに記載の通信端末装置において、
前記検索部にて前記検索キーと一致した宛先情報を提示する提示部をさらに備えることを特徴とする通信端末装置。
【請求項１０】
請求項１乃至９いずれかに記載の通信端末装置において、
前記宛先情報記憶装置は、ディレクトリサーバのデータベースであることを特徴とする通信端末装置。
【発明の詳細な説明】
【技術分野】
【０００１】
本発明は、通信端末装置に関し、特に、指定した相手先を確認して通信できる通信端末装置に関する。
【背景技術】
【０００２】
従来、ファクシミリ装置などの通信端末装置における相手先の指定方法には、電話帳などから相手先のファックス番号を指定する方法と、テンキーなどを用いて随時ファックス番号を入力する方法とがある。前者の場合は、電話帳への登録作業が面倒であったり、後者の場合に入力ミスなどを招く恐れがあった。このような問題点を解決した従来のファクシミリ送受信可能な画像形成装置としては、例えば特許文献１に記載されたものがある。同文献に記載された画像形成装置は、定型送付状の相手先ファックス番号や相手先名など、記入欄に記載された文字を文字認識し、これを電話帳データベースを参照して、その存在を確認する。そして、両者が一致しているかを判断し、その結果一致していた場合、自動で相手先回線に接続し、送付状を含むファクシミリ送信原稿の画像データを相手先に送信するものである。
【０００３】
また、近年、ファクシミリ装置や複合機などの通信端末装置もネットワークに接続されるようになってきた。テンキー操作などによって入力されたファックス番号などをネットワーク上のデータベースを参照して照合し、ファックス番号に一致した宛先の名称情報などを取得し、通信端末装置の操作パネル上に表示させて、名称を確認する装置も登場してきている。
【特許文献１】特開平９−５５８３９号公報
【発明の開示】
【発明が解決しようとする課題】
【０００４】
しかしながら、たとえば複数の相手先を指定する同報通信などの場合には、複数の相手先を効率よく短時間でデータベース照合できることが望まれていた。また、一度確定された相手先を編集する際の操作が煩雑であったためその操作性に改善の余地があった。
【０００５】
本発明は上記事情に鑑みてなされたものであり、その目的とするところは、相手先の照合を効率よく行え、かつ操作性のよい通信端末装置を提供することにある。
【課題を解決するための手段】
【０００６】
本発明によれば、複数の相手先と同報通信を行うことができる通信端末装置であって、
ユーザが指定した宛先情報を受け付ける受付部と、
前記受付部が受け付けた前記宛先情報を検索キーとして所定の宛先情報記憶装置を検索する検索部と、
前記検索部にて前記検索キーと一致した宛先情報を相手先として確定する確定部と、
前記確定部で確定された前記相手先を複数記憶可能な相手先記憶部と、を備え、
前記検索部は、前記確定部によって既に確定された前記相手先は検索しないことを特徴とする通信端末装置が提供される。
【０００７】
本発明の通信端末装置は、たとえば、インターネットファクシミリ装置、複合機、ＰＳＴＮ（Public Switched Telephone Network：公衆交換電話網）に接続されるＧ３またはＧ４ファクシミリ装置、電話機、およびＩＰ電話機、Ｅメール端末、携帯電話機やＰＤＡなどの携帯端末、パーソナルコンピュータなどのコンピュータを含むことができる。
【０００８】
宛先情報とは、通信端末装置が通信を行う相手先を示す情報であり、たとえば、電話番号、ファクシミリ番号、インターネットファクシミリ番号、電子メールアドレス、ＩＰアドレス、および名称を含む。宛先情報は、たとえば、操作キーを使用してユーザが入力して指定する、あるいは、電子メールやウェブページに記載された情報を使用して指定することもできる。
【０００９】
所定の宛先情報記憶装置とは、たとえば、通信端末装置内の電子アドレス帳、外部の記憶装置、およびネットワークを介して接続されたディレクトリサービスなどによって提供されるデータベースとすることができる。検索対象となる宛先情報記憶装置は、少なくとも一つを予め指定することができ、随時選択または変更することもできる。
【００１０】
この発明によれば、通信の相手先をデータベースと照合した上で確定することができ、既に確定した相手先のデータベース照合は行わない構成としたので、照合にかかる時間を短縮できるとともに、相手先の入力ミスを防止することができる使い勝手の良い通信端末装置が提供される。
【００１１】
上記通信端末装置において、前記相手先記憶部に記憶された前記相手先の前記宛先情報の編集操作が可能な編集モードにおいて、前記ユーザによる任意の前記宛先情報の編集操作を受け付け、編集する編集部をさらに備えることができ、前記検索部は、既に確定済みの前記宛先情報が前記編集部によって編集されたとき、前記編集部によって編集された前記宛先情報のみを検索対象することができる。
【００１２】
上記通信端末装置において、前記受付部が受け付けた前記宛先情報毎に確定フラグを準備し、記憶する確定フラグ記憶部と、前記受付部が前記宛先情報を受け付けてから確定する前までは、前記宛先情報の確定フラグをリセットしておき、前記確定部が前記宛先情報を前記相手先として確定した後、前記宛先情報の確定フラグをセットする制御部と、を含むことができ、前記検索部は、前記宛先情報の前記確定フラグがセットされている前記宛先情報の検索は行わないことができる。
【００１３】
この構成によれば、確定後の相手先の宛先情報を編集することができるので、利便性がよい。さらに、既に確定されていて、編集されていない相手先については、データベースとの照合を行わないので、データベース照合にかかる時間を短縮することができ効率がよい。
【００１４】
上記通信端末装置において、前記制御部は、前記編集部が前記宛先情報を編集したとき、当該宛先情報の前記確定フラグをリセットし、前記検索部による検索を行うように制御することができる。
【００１５】
上記通信端末装置において、前記受付部は、前記宛先情報を文字列で受け付け、前記相手先記憶部に前記宛先情報を示す前記文字列を前記相手先として記憶し、前記編集部は、前記編集モードに入ったとき、前記相手先記憶部に記憶された前記相手先のうちの一宛先情報を示す前記文字列を全て消去することができる。
【００１６】
上記通信端末装置において、前記受付部は、前記宛先情報を文字列で受け付け、前記相手先記憶部に前記宛先情報の前記文字列を記憶し、前記編集部は、前記編集モードにおいて、前記相手先記憶部に記憶された前記相手先の前記宛先情報を示す前記文字列の編集桁を指定するカーソルを表示し、編集可能とすることができる。
【００１７】
上記通信端末装置において、前記検索部にて前記検索キーと一致した宛先情報がなかった場合にその旨を通知する通知部をさらに備えることができる。
この構成によれば、指定された宛先情報が存在しない旨や間違いの可能性をユーザに通知し、再度指定し直すよう促すことができる。
【００１８】
上記通信端末装置において、前記検索部にて前記検索キーと一致した宛先情報がなかった場合に前記編集部が当該宛先情報の前記編集モードに移行することができる。
この構成によれば、指定された宛先情報が存在しない場合、自動的に宛先情報の編集が可能となり、操作性がよい。
【００１９】
上記通信端末装置において、前記検索部にて前記検索キーと一致した宛先情報を提示する提示部をさらに備えることができる。
提示部は、検索キーと一致した宛先情報の宛先名などを画面上に表示し、ユーザに確認を促すことができる。この構成によれば、ユーザが指定した宛先情報をデータベースに照合した結果得られた宛先名などを確認することができるので、宛先情報の間違いを確認することが可能となる。
【００２０】
上記通信端末装置において、前記宛先情報記憶装置は、ディレクトリサーバのデータベースを含むことができる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、相手先の照合を効率よく行え、かつ操作性のよい通信端末装置が提供される。
【発明を実施するための最良の形態】
【００２３】
以下、本発明の実施の形態について、図面を用いて説明する。尚、すべての図面において、同様な構成要素には同様の符号を付し、適宜説明を省略する。
【００２４】
図１は、本発明の実施の形態に係る通信端末装置のネットワーク構成を示すブロック図である。本実施形態の通信端末装置１０は、ネットワーク４０を介して複数のディレクトリサーバ（図中、「サーバ」と示す）４２に接続される。各ディレクトリサーバ４２は、様々な情報が蓄積されたデータベース（不図示）を有する。通信端末装置１０は、ディレクトリサーバ４２に検索条件を送信して検索を実行させ、ディレクトリサーバ４２から検索結果を取得する。通信端末装置１０は、たとえば、ＬＤＡＰに基づくディレクトリサービスを利用して、ＬＤＡＰに基づく検索をディレクトリサーバ４２に実行させる。
【００２５】
本実施の形態において、ディレクトリサーバ４２のデータベースには、複数の登録者について複数の属性を有するアドレス情報、たとえば、名前、会社名、所属部署、電話番号、ファックス番号、ＩＰファックス番号、メールアドレスなどが格納されている。本実施の形態において、通信端末装置１０は、相手先のアドレス情報を得るために、ディレクトリサーバ４２に問い合わせを行うことができる。
【００２６】
また、通信端末装置１０は、他の通信端末装置と複数の通信経路を介して通信が可能である。通信端末装置１０は、たとえば、ＰＳＴＮ２４を通じて、他の電話機３０および他のファックス端末３１と通話および通信する。また、通信端末装置１０は、たとえば、インターネットやＬＡＮなどのネットワーク２６を通じて、他のＥメール端末３３、他のＩＰ電話機３４、他のインターネットファックス端末３５、および他の携帯端末３６との通話および通信する。
【００２７】
電話機３０は、無線基地局（不図示）および無線中継局（不図示）をさらに介して接続される他の携帯電話端末（不図示）であってもよい。ファックス端末３１は、ＰＳＴＮ２４を通じて通信する他のＧ３またはＧ４ファックス端末である。Ｅメール端末３３、ＩＰ電話機３４、インターネットファックス端末３５、および携帯端末３６は、インターネットやＬＡＮなどのネットワークを介して通信する他のコンピュータなどの通信端末装置、他のＩＰ電話端末および他のインターネットファックス端末である。
【００２８】
本実施形態において、通信端末装置１０は、たとえば、ネットワークファクシミリ装置、複合機、インターネットファックスなどである。他の実施形態において、通信端末装置１０は、ＰＳＴＮに接続されるＧ３またはＧ４ファクシミリ装置、電話機、ＩＰ電話機、Ｅメール端末、携帯電話機やＰＤＡなどの携帯端末、パーソナルコンピュータなどのコンピュータなどであってもよい。なお、図１において、本発明の本質に関わらない部分の構成については省略してあり、たとえば、ファクシミリ装置や電話装置の構成であるスキャナ部、画像処理部、記録部、モデム、ＮＣＵ（Network Control Unit）、音声出力部、集音部および音声処理部などは図示されていない。
【００２９】
たとえば、本実施形態の通信端末装置１０で電子アドレス帳などに登録されていない宛先にファクシミリ送信を行う場合、ユーザは通信端末装置１０の操作パネルのダイヤルキーを操作してファックス番号の入力を行い、送信を行うことができる。通信端末装置１０は、手入力されたファックス番号が正しいかどうかを確認するために、ディレクトリサーバ４２のデータベースに照合を行い、宛名を取得し通信端末装置１０上に表示させる。ユーザは表示された宛名を確認してからファクシミリ送信することができるので、ファックス番号の入力ミスによる誤送信を防ぐことができる。
【００３０】
本実施形態の通信端末装置１０は、通信部１２と、操作部１４と、表示部１６と、制御部１８と、記憶装置２０と、インタフェース部２２と、を含む。
【００３１】
通信端末装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３２】
通信部１２は、ＰＳＴＮ２４を介した電話機３０、ファックス端末３１などとの通信と、ネットワーク２６を介したＥメール端末３３、ＩＰ電話機３４、インターネットファックス端末３５および携帯端末３６などとの通信を行うためのインタフェース機能をそれぞれ有する。
【００３３】
操作部１４は、通信端末装置１０のユーザから各種設定および入力等の指示を受け付ける。操作部１４は、たとえば、操作ボタン、スイッチ、レバー、キーボード、タッチパネルなどである。本実施形態において、操作部１４は、操作パネル（不図示）に設けられたダイヤルキー（テンキー）、ファクシミリ通信指示キー、同報指定キー、送信開始指示キー、編集指示キーなどを含む。表示部１６は、各種情報表示、操作画面表示、通信端末装置１０の動作や状態表示などを行う。表示部１６は、たとえば、ランプ、ＬＥＤ、ＣＲＴモニタ、液晶ディスプレイなどである。
【００３４】
制御部１８は、通信端末装置１０の各種要素とともに装置全体を制御する。記憶装置２０は、通信端末装置１０の動作を制御するプログラムを記憶するプログラム領域と、プログラムが制御部１８によって実行されるとき作業領域として使用される作業領域と、を含むことができる。また、記憶装置２０は、後述するキー入力バッファ、宛先情報記憶部および送信データ記憶部を含む。また、記憶装置２０は、電子アドレス帳などの情報を記憶する記憶領域を含んでもよい。
【００３５】
インタフェース部２２は、ネットワーク４０を介して接続された複数のディレクトリサーバ４２との通信を行う。なお、図１ではネットワーク４０およびネットワーク２６を介した通信を、通信部１２およびインタフェース部２２によってそれぞれ行っているが、これに限定されるものではなく、同じインタフェース部で行ってもよい。
【００３６】
図２は、本実施の形態の通信端末装置１０の概略機能ブロック図である。本発明の実施の形態の通信端末装置１０は、複数の相手先と同報通信を行うことができる通信端末装置１０であって、ユーザが指定した宛先情報を受け付ける受付部（入力受付部１０２）と、受付部（入力受付部１０２）が受け付けた宛先情報を検索キーとして所定の宛先情報記憶装置（図１のディレクトリサーバ４２）を検索する検索部１１８と、検索部１１８にて検索キーと一致した宛先情報を相手先として確定する確定部１２４と、確定部１２４で確定された相手先を複数記憶可能な相手先記憶部（宛先情報記憶部１１２）と、を備え、検索部１１８は、確定部１２４によって既に確定された相手先は検索しない。
【００３７】
また、本実施形態において、上述の通信端末装置１０の動作を制御するプログラムは、複数の相手先と同報通信を行う際指定する複数の相手先を記憶可能な相手先記憶部（宛先情報記憶部１１２）を備えたコンピュータを、ユーザが指定した宛先情報を受け付ける手段（入力受付部１０２）、受け付けた宛先情報を検索キーとして所定の宛先情報記憶装置（図１のディレクトリサーバ４２）を検索する手段（検索部１１８）、検索キーと一致した宛先情報を相手先として確定する手段（確定部１２４）、検索する手段に確定する手段によって既に確定された相手先は検索しないように制御する手段（制御部１８、検索キー決定部１１０）、として機能させるためのものである。
【００３８】
詳細には、通信端末装置１０は、入力受付部１０２と、キー入力バッファ１０４と、同報受付部１０６と、送信開始受付部１０８と、検索キー決定部１１０と、宛先情報記憶部１１２と、宛先情報１１４と、確定フラグ１１６と、検索部１１８と、宛先情報表示部１２０と、判断部１２２と、確定部１２４と、宛名表示部１２６と、通知部１２８と、送信処理部１３０と、送信データ記憶部１３２と、を備えている。以下、図１および図２を用いて説明する。
【００３９】
入力受付部１０２は、宛先情報として操作部１４のテンキーなどを用いてユーザが入力した英数字または文字などの文字列を受け付ける。宛先情報とは、通信端末装置が通信を行う相手先を示す情報であり、たとえば、電話番号、ファクシミリ番号、インターネットファクシミリ番号、電子メールアドレス、ＩＰアドレス、および名称を含む。なお、入力受付部１０２は、電子メールやウェブページに記載されたメールアドレスなどの文字列を受け付けることもできる。キー入力バッファ１０４は、入力受付部１０２が受け付けた文字列を一時的に記憶する。
【００４０】
同報受付部１０６は、ユーザによる操作部１４の同報指定キーの操作を受け付ける。送信開始受付部１０８は、ユーザによる操作部１４の送信開始指示キーの操作を受け付ける。検索キー決定部１１０は、同報受付部１０６または送信開始受付部１０８が各キー操作を受け付けたとき、キー入力バッファ１０４に一時的に記憶されていた文字列を検索キーとして決定し、検索部１１８に受け渡す。また、検索キー決定部１１０は、検索キーとして決定した文字列で示される宛先情報を宛先情報記憶部１１２に記憶する。
【００４１】
宛先情報記憶部１１２は、宛先情報１１４および確定フラグ１１６を含む。宛先情報１１４は、検索キー決定部１１０が決定した文字列で示される宛先情報を記憶する。宛先情報記憶部１１２には、同報通信の宛先として複数の宛先情報１１４を記憶することができる。確定フラグ１１６は、宛先情報１１４毎に設けられ、対応する宛先情報１１４が確定した後、セットされる。宛先情報の確定および確定フラグ１１６の詳細については後述する。
【００４２】
検索部１１８は、検索キー決定部１１０が決定した文字列を検索キーとしてインタフェース部２２を介してディレクトリサーバ４２のデータベースを検索する。ディレクトリサーバ４２のデータベースには、たとえば、複数の登録者の宛名、ファックス番号、ＩＰファックス番号、メールアドレスなどのアドレス情報が格納されている。たとえば、検索部１１８は、入力受付部１０２でテンキーを用いて入力されたファックス番号を検索キーとしてディレクトリサーバ４２のデータベースを検索し、検索キーと一致するファックス番号の宛名などのアドレス情報を取得する。検索結果は判断部１２２に受け渡される。
【００４３】
検索部１１８は、通信端末装置１０装置内の電子アドレス帳を検索することもできる。検索対象となる記憶装置は、たとえば、複数のディレクトリサーバ４２や自装置内の電子アドレス帳の中から予め選択して指定することができ、随時選択または変更することもできる。
【００４４】
宛先情報表示部１２０は、指定された宛先情報と、検索部１１８で検索された宛名などのアドレス情報を表示部１６に表示する。これにより、ユーザは指定したファックス番号などの宛先情報が意図した相手先かを表示された宛名で確認することができる。すなわち間違った番号を入力してしまった場合などに、他の宛名が表示されることにより、番号の入力ミスに気付くことが可能となる。
【００４５】
判断部１２２は、検索部１１８が検索した結果に基づいて実行すべき処理を判断する。判断部１２２は、検索部１１８における検索の結果、データベース上に該当するファックス番号があった場合、そのファックス番号の宛名を宛名表示部１２６に表示させるとともに、確定部１２４に通知する。該当するファックス番号がなかった場合、通知部１２８にその旨を通知し、該当するデータが存在しない旨をユーザに通知させるとともに、通知部１２８にその旨を通知する。
【００４６】
確定部１２４は、判断部１２２からの通知に呼応して宛先情報記憶部１１２にアクセスし、宛先情報１１４の確定フラグ１１６をセットする。さらに同報指定がない場合と、送信開始受付部１０８が送信開始指示キーの操作を受け付けている場合に、送信処理部１３０に送信開始を指示する。同報受付部１０６が同報指定キーの操作を受け付けている場合は送信処理部１３０への送信開始の指示は行わない。
【００４７】
宛名表示部１２６は、判断部１２２からの指示に従って宛名を表示部１６に表示する。通知部１２８は、判断部１２２からの指示に従って、該当するデータが存在しない旨を表示部１６に表示したり、あるいは、図示されないスピーカなどからメッセージや警告音などを音声出力したりする。このようにして、指定された宛先情報が存在しない旨や間違いの可能性をユーザに通知し、再度指定し直すよう促すことができる。
【００４８】
送信処理部１３０は、確定部１２４からの指示に従って、送信処理を開始する。送信データ記憶部１３２は、図示されないスキャナなどから読み込まれた原稿の画像データが記憶されている。送信データ記憶部１３２は、図示されないメール作成部によって作成されたメール本文や、指定された添付ファイルなどを記憶することもできる。送信処理部１３０は、送信データ記憶部１３２に記憶された送信データを宛先情報記憶部１１２に記憶されている宛先情報１１４に送信するように通信部１２に指示する。同報指定されている場合は、複数の相手先に同報通信を指示する。
【００４９】
ファクシミリ送信の場合は、たとえば、通信部１２は、メモリ送信なら入力されたファックス番号でメモリ蓄積を開始する。スキャナ送信なら入力されたファックス番号でダイヤルを開始する。通信部１２はＰＳＴＮ２４を介して他のファックス端末３１に回線を接続し、原稿の画像データのファクシミリ送信を行う。
【００５０】
また、本実施の形態の通信端末装置１０は、図３に示す宛先情報の編集処理部をさらに備えることができる。本実施形態の通信端末装置１０は、相手先記憶部（宛先情報記憶部１１２）に記憶された相手先の宛先情報１１４の編集操作が可能な編集モードにおいて、ユーザによる任意の宛先情報１１４の編集操作を受け付け、編集する編集部１４２をさらに備え、検索部（図２の検索部１１８）は、既に確定済みの宛先情報１１４が編集部１４２によって編集されたとき、編集部１４２によって編集された宛先情報１１４のみを検索対象する。
【００５１】
具体的には、通信端末装置１０は、上記構成に加え、編集受付部１４０と、編集部１４２と、判定部１４４と、をさらに備える。編集受付部１４０は、ユーザによる操作部１４の編集指示キーの操作および、新たにユーザが入力した英数字または文字などの文字列を受け付ける。編集部１４２は、編集受付部１４０が編集指示キーの操作を受け付けたとき、宛先情報記憶部１１２の宛先情報１１４を編集可能な編集モードに移行する。このとき、表示部１６には宛先情報記憶部１１２の宛先情報１１４が表示されているものとする。また、編集部１４２は、検索部１１８にて検索キーと一致した宛先情報がなかった場合に、判断部１２２からの指示により当該宛先情報の編集モードに自動的に移行することもできる。
【００５２】
編集モード時に移行したとき、編集部１４２は宛先情報記憶部１１２に記憶された相手先のうち一宛先情報１１４を示す文字列を全て消去し、新たな宛先情報の入力をユーザに促すことができる。その際、入力カーソルなどを表示させる。あるいは、編集モードに移行したとき、編集部１４２は宛先情報記憶部１１２に記憶された相手先の宛先情報を示す文字列の編集桁を指定するカーソルを表示することができる。ユーザは操作部１４を操作してカーソルを移動させて指定した桁の文字や数字を編集することができる。また、編集モード時の上記２つの編集操作方法は、いずれかをユーザが選択的に設定することもできる。
【００５３】
判定部１４４は、編集部１４２で編集が終了したことを判定し、検索キー決定部１１０に通知する。検索キー決定部１１０は、通知に呼応して検索部１１８に新たな検索キーで検索を指示することとなる。
【００５４】
このように構成された本実施形態の通信端末装置１０の動作について、以下に説明する。図４は、本実施形態の通信端末装置１０の動作の一例を示すフローチャートである。ここでは、通信端末装置１０において、ファクシミリ送信が指示された場合を例として説明するが、これに限定されない。メール送信や他の通信処理時も同様である。図５は、宛先番号を同報指定する場合の表示部１６の表示例と、確定フラグ１１６を説明するための図である。図６は、入力番号を編集する場合の表示部１６の表示例と、確定フラグ１１６を説明するための図である。以下、図１乃至図６を用いて説明する。
【００５５】
まず、入力受付部１０２がダイヤルキーの入力を受け付ける（Ｓ１１）。ここでは図５に示すように、ファックス番号"０３１２３４５６７８"が入力される。このとき、表示部１６に画面２００が表示さる。入力されたファックス番号はキー入力バッファ１０４に記憶される（Ｓ１３）。このとき、画面２００には、入力された宛先番号２０２と入力カーソル２０４が表示されている。
【００５６】
同報受付部１０６または送信開始受付部１０８が同報キー２０６または送信開始指示キー２０８の押下を受け付けたとき（Ｓ１５のＹＥＳ）、検索キー決定部１１０はキー入力バッファ１０４に記憶されたファックス番号を検索キーに決定する。このとき、宛先情報記憶部１１２（図５では宛先情報記憶部１１２ａと示す）の宛先情報１１４にファックス番号"０３１２３４５６７８"が記憶される。確定フラグ１１６は０がセットされている。
【００５７】
そして検索部１１８が決定された検索キーでインタフェース部２２を介してディレクトリサーバ４２のデータベースにアクセスして照合を行う（Ｓ１７）。一致したファックス番号があった場合、対応する宛名もディレクトリサーバ４２から取得する。そして、判断部１２２が検索結果に基づいて、一致したファックス番号があったか否かを判定する（Ｓ１９）。ファックス番号があった場合（Ｓ１９のＹＥＳ）、宛名表示部１２６に一致したファックス番号の宛名を表示部１６に表示させ、確定部１２４に通知する（Ｓ２１）。確定部１２４は、図５に示す画面２１０を表示部１６に表示させる。画面２１０には、宛名２１４と、入力されたファックス番号２１６と、宛先がＯＫか否かを確認するメッセージ２１２が表示される。このように、入力したファックス番号２１６に対応する宛先を確認することができるので、入力ミスによるご送信を防止することが可能となる。
【００５８】
宛先がＯＫの場合（Ｓ２３のＹＥＳ）、すなわち、ＹＥＳキー２１８の入力を受付部（不図示）が受け付けたとき、宛先情報記憶部１１２（図５では宛先情報記憶部１１２ｂと示す）の確定フラグ１１６に１がセットされる。そして、次の宛先番号の入力待ち状態になり、図５の画面２２０を表示部１６に表示する（Ｓ２５）。画面２２０には、宛先情報２０２のファックス番号が確定したことを示すカンマ２２２と、入力カーソル２０４が表示される。
【００５９】
そして、続いて同報番号の入力があった場合、ステップＳ１１に戻り、次の宛先番号を受け付ける。図５の画面２３０では、２件目のファックス番号が表示されている。同報キー２０６または送信開始指示キー２０８の押下の受け付けにより（Ｓ１５のＹＥＳ）、宛先情報記憶部１１２（図５では宛先情報記憶部１１２ｃと示す）の宛先情報１１４の２件目としてファックス番号"０４５９８７００００"が記憶され、その確定フラグ１１６に０がセットされる。
【００６０】
検索キー決定部１１０は宛先情報記憶部１１２の確定フラグ１１６を参照し、確定フラグ１１６に１がセットされている１件目のファックス番号を除き、２件目のファックス番号"０４５９８７００００"のみを検索キーとして決定する。そして、検索部１１８が２件目のファックス番号"０４５９８７００００"のみを検索キーとしてディレクトリサーバ４２のデータベースと照合を行う（Ｓ１７）。このように、検索部１１８は既にデータベース照合が済んでいる宛先情報については、照合は行わないので、照合にかかる時間を短縮することができ効率がよい。
【００６１】
その結果、ヒットしたファックス番号がなかった場合（Ｓ１９のＮＯ）、通知部１２８が図５に示す画面２４０に、入力番号がデータベース上に存在しない旨を示すメッセージ２４２を表示する（Ｓ３１）。
【００６２】
そして、画面２４０の入力カーソル２０４が左矢印キーなどで移動されたとき、すなわち、図６（ａ）に示すように、キー２４４の操作を編集受付部１４０が受け付けたとき、編集モードに移行する（Ｓ３３）。そして、図６（ａ）に示すように、宛先情報記憶部１１２（図５では宛先情報記憶部１１２ｄと示す）の２件目の宛先情報１１４を消去する。そして、ステップＳ１１に戻り、新たな番号の入力待ちとなる。
【００６３】
あるいは、図６（ｂ）に示すように、編集モードに移行したとき（Ｓ３３）、編集部１４２は画面２６０に編集用カーソル２６２を編集桁に表示する。そして、編集用カーソル２６２が２件目の入力番号から外に出たことを判定部１４４が判定し（Ｓ１５）、検索キー決定部１１０に通知して新しい入力番号を検索キーに決定する（Ｓ１７）。このとき、検索部１１８は、宛先情報記憶部１１２（図６（ｂ）では宛先情報記憶部１１２ｅと示す）の確定フラグ１１６を参照し、１がセットされている宛先情報１１４については検索を行わない。すなわち確定フラグ１１６が０であるファックス番号"０４５９８７０１２３"のみについて検索を行う。検索部１１８によってデータベース照合が行われ、その結果が図６（ｂ）の画面２７０に表示される（Ｓ２１）。このように、編集された宛先情報についてのみデータベース照合を行うので、照合にかかる時間を短縮することができ効率がよい。
【００６４】
そして、画面２７０において、宛先ＯＫの指示を受け付けると（Ｓ２３のＹＥＳ）、宛先情報記憶部１１２（図６（ｂ）では宛先情報記憶部１１２ｆと示す）の宛先情報１１４のファックス番号"０４５９８７０１２３"に対応する確定フラグ１１６に１がセットされ、さらに次の番号入力の待機状態となる（Ｓ２５）。
【００６５】
なお、上記ステップＳ２３で宛先がＯＫでなかった場合（Ｓ２３のＮＯ）、入力番号の編集モードに自動的に移行する（Ｓ３３）。
【００６６】
以上説明したように、本発明の実施の形態の通信端末装置１０によれば、通信の相手先をデータベースと照合した上で確定することができ、既に確定した相手先のデータベース照合は行わない構成としたので、照合にかかる時間を短縮できるとともに、相手先の入力ミスを防止することができ、使い勝手が向上する。
【００６７】
また、本発明の実施の形態の通信端末装置１０によれば、確定後の相手先の宛先情報を編集することができるので、利便性がよい。さらに、既に確定されていて、編集されていない相手先については、データベースとの照合を行わないので、データベース照合にかかる時間を短縮することができる。
【００６８】
さらに、本発明の実施の形態の通信端末装置１０によれば、指定された宛先情報が存在しない旨や間違いの可能性を通知し、再度指定し直すよう促すことができる。また、指定された宛先情報が存在しない場合、自動的に宛先情報の編集が可能となり、操作性がよい。
【００６９】
以上、図面を参照して本発明の実施形態について述べたが、これらは本発明の例示であり、上記以外の様々な構成を採用することもできる。
【００７０】
たとえば、入力受付部１０２は、ファックス番号の入力を受け付ける場合を例として説明しているがこれに限定されない。たとえば、メールアドレス、ＩＰファックス番号、電話番号、宛名などを含むことができる。そして、検索部１１８はメールアドレスやＩＰファックス番号、電話番号から宛名を検索することもできるし、宛名からファックス番号、メールアドレス、ＩＰファックス番号、電話番号を検索することもできる。
【図面の簡単な説明】
【００７１】
【図１】本発明の実施の形態に係る通信端末装置のネットワーク構成を示すブロック図である。
【図２】図１の通信端末装置の概略機能ブロック図である。
【図３】図１の通信端末装置の編集処理機能を示す概略機能ブロック図である。
【図４】図１の通信端末装置の動作の一例を示すフローチャートである。
【図５】図１の通信端末装置において、宛先番号を同報指定する場合の表示部の表示例と、確定フラグを説明するための図である。
【図６】図１の通信端末装置において、入力番号を編集する場合の表示部の表示例と、確定フラグを説明するための図である。
【符号の説明】
【００７２】
１０  通信端末装置
１２  通信部
１４  操作部
１６  表示部
１８  制御部
２０  記憶装置
２２  インタフェース部
２４  ＰＳＴＮ
２６  ネットワーク
３０  電話機
３１  ファックス端末
３３  Ｅメール端末
３４  ＩＰ電話機
３５  インターネットファックス端末
３６  携帯端末
４０  ネットワーク
４２  ディレクトリサーバ
１０２  入力受付部
１０４  キー入力バッファ
１０６  同報受付部
１０８  送信開始受付部
１１０  検索キー決定部
１１２  宛先情報記憶部
１１４  宛先情報
１１６  確定フラグ
１１８  検索部
１２０  宛先情報表示部
１２２  判断部
１２４  確定部
１２６  宛名表示部
１２８  通知部
１３０  送信処理部
１３２  送信データ記憶部
１４０  編集受付部
１４２  編集部
１４４  判定部
【図１】
2007166152.tif 000003
【図２】
2007166152.tif 000004
【図３】
2007166152.tif 000005
【図４】
2007166152.tif 000006
【図５】
2007166152.tif 000007
【図６】
2007166152.tif 000008